(57)【要約】【課題】洗浄水を噴射し、噴射された洗浄水中を通過するように空気を導き、空気と洗浄水との接触面積を増加させる浄化ユニットを備えた空気清浄機を提供する。【解決手段】本発明の湿式空気清浄機は、下部に洗浄水を貯留するハウジングと、ハウジング内に設置された浄化ユニットとを含み、浄化ユニットは、空気をハウジング下部に貯留されている洗浄水に導くための送風機と、ハウジング下部に貯留されている洗浄水を揚水して半径方向に噴射し、導かれた空気が噴射された洗浄水を通過するようにするための内側ガイドと、導かれた空気及び噴射された洗浄水をハウジング下部の洗浄水に案内する外側ガイドとを含む。外側ガイドは内側ガイドとの間にギャップを形成するように内側ガイドの周囲を取り囲む。送風機、内側ガイド及び外側ガイドは駆動ユニットにより共に回転する。【選択図】図１
2008518775.tif 000002
【特許請求の範囲】
【請求項１】
湿式空気清浄機であって、
下部に洗浄水を貯留するハウジングと、
前記ハウジング内に設置されている浄化ユニットとを含み、
前記浄化ユニットは、
空気を前記ハウジングの下部に貯留されている前記洗浄水に導くための送風機と、
前記ハウジングの下部に貯留されている前記洗浄水を揚水して半径方向に噴射し、前記送風機により導かれた空気が前記噴射された洗浄水を通過するようにするための内側ガイドと、
前記導かれた空気及び前記噴射された洗浄水を前記ハウジングの下部に貯留されている前記洗浄水に案内する外側ガイドであって、前記内側ガイドとの間にギャップを形成するように前記内側ガイドの周囲を取り囲む該外側ガイドとを含み、
前記送風機、前記内側ガイド及び前記外側ガイドは駆動ユニットにより共に回転されることを特徴とする湿式空気清浄機。
【請求項２】
前記内側ガイドは、
その端部が、前記ハウジングの下部に貯留されている前記洗浄水に浸されている下端部と、
前記下端部の上端から、その内径が上方に徐々に増大する中間部と、
前記中間部の上端から、その内径が上方に徐々に増大する上端部であって、該上端部の前記内径は前記中間部の前記内径よりも大きい該上端部と、
前記上端部の上端に円周方向に形成されているノズル部であって、前記内側ガイドを通って揚水された前記洗浄水を噴射するための該ノズル部とを備えることを特徴とする請求項１に記載の湿式空気清浄機。
【請求項３】
前記送風機は、
前記駆動ユニットの回転軸に固定されている本体部と、
前記本体部の周囲に配置されている複数の羽根と、
前記羽根の外端に、前記羽根を取り囲むように固定されているフレームとを備え、
前記内側ガイドの前記ノズル部は、結合部材を用いて前記送風機の前記本体部に固定的に取り付けられることを特徴とする請求項２に記載の湿式空気清浄機。
【請求項４】
前記外側ガイドは、
前記送風機の前記フレームに固定される固定部と、
前記内側ガイドの前記上端部及び前記中間部との間に各々ギャップを形成するように、前記内側ガイドの前記上端部及び前記中間部の周囲を取り囲むように設けられる外側上部及び外側下部とを含み、
前記羽根により導かれた空気及び前記ノズル部から噴射された洗浄水が、前記ギャップを通って前記ハウジングの下部に貯留されている前記洗浄水に案内されることを特徴とする請求項３に記載の湿式空気清浄機。
【請求項５】
前記外側ガイドの前記固定部及び前記外側上部は、傾斜した反射壁により互いに連結され、前記反射壁は、前記ノズル部から噴射される洗浄水を、前記送風機の前記羽根の方に向けて上方に反射させるように配置されることを特徴とする請求項４に記載の湿式空気清浄機。
【請求項６】
前記外側ガイドの前記外側上部は、前記内側ガイドの前記上端部に実質的に平行に延在し、前記外側ガイドの前記外側下部は、その内径が徐々に増大するように下方に延在することを特徴とする請求項４に記載の湿式空気清浄機。
【請求項７】
前記内側ガイドの前記下端部の端部は、前記外側ガイドの前記外側下部の端部に位置する出口より下方に配置されることを特徴とする請求項４に記載の湿式空気清浄機。
【請求項８】
前記外側ガイドの前記固定部に流路が形成され、前記反射壁により上方に反射された洗浄水が、前記浄化ユニットの回転により発生した遠心力により前記流路に流入し、前記流路を通って移動することを特徴とする請求項４に記載の湿式空気清浄機。
【請求項９】
前記内側ガイドは、
その端部が前記ハウジングの下部に貯留されている前記洗浄水に浸されている下部と、
前記下部の上端から、その内径が上方に徐々に増大する上部と、
前記上部の上端に円周方向に形成され、前記内側ガイドを通って揚水される前記洗浄水を噴射するためのノズル部とを備え、
前記内側ガイドの前記ノズル部は、前記駆動ユニットの回転軸に固定されることを特徴とする請求項１に記載の湿式空気清浄機。
【請求項１０】
前記送風機は、
前記駆動ユニットの回転軸に固定されている本体部と、
前記本体部の周囲に配置されている複数の羽根と、
前記羽根の外端に、前記羽根を取り囲むように固定されているフレームとを備え、
前記内側ガイドの前記ノズル部は、結合部材を用いて前記送風機の前記本体部に固定されることを特徴とする請求項９に記載の湿式空気清浄機。
【請求項１１】
前記外側ガイドは、
前記送風機の前記フレームに固定されている固定部と、
前記固定部の下端から、下方に徐々に縮小する内径を有する外側上部と、
前記外側上部の下端から、下方に徐々に増大する内径を有する外側下部とを備え、
前記外側下部は、前記内側ガイドとの間にギャップが形成されるように、前記内側ガイドの周囲を取り囲むように設けられることを特徴とする請求項１０に記載の湿式空気清浄機。
【請求項１２】
前記ノズル部は、前記外側ガイドの前記外側上部及び前記外側下部の連結地点より下方に配置され、前記ハウジングの下部に貯留されている前記洗浄水は、その水面が前記ノズル部より下方にあることを特徴とする請求項１１に記載の湿式空気清浄機。
【請求項１３】
前記内側ガイドの前記下部の端部は、前記外側ガイドの前記外側下部の端部に位置する出口より下方に配置されることを特徴とする請求項１１に記載の湿式空気清浄機。
【発明の詳細な説明】
【技術分野】
【０００１】
本発明は、空気清浄機に関し、より詳細には、洗浄水を噴射し、噴射された洗浄水を空気が通過するように導き、空気及び洗浄水の接触を増加させるための浄化ユニットを備えた湿式空気清浄機に関する。
【背景技術】
【０００２】
一般に、空気清浄機は、微細ダスト、様々な有害ガス、様々な細菌、カビ、ウイルスなどを含んでいる室内空気を、浄化媒介体を用いて浄化する機能を果たす。このような空気清浄機は、空気清浄はもちろん、生活臭、花粉、ペットの毛などの小粒子を除去し、空気感染による病気発生を予防するなどの様々な機能を有するため、四季に関係なく一年中用いることができる。
【０００３】
空気清浄機は、乾式と湿式に大きく２つに分けられる。乾式空気清浄機は、さらに、フィルタ式と電気集塵式に分けられる。
【０００４】
ここで、電気集塵式空気清浄機はフィルタを用いないため、フィルタの交換が不要という長所がある。しかし、電気集塵板にダストが溜まると、空気清浄機の清浄能力が低下し、ダストを除去する能力が弱まるという短所がある。
【０００５】
一方、フィルタ式空気清浄機は、空気がフィルタを通過する間に様々な微粒子を捕集することができるので清浄能力に優れており、黄砂が発生する季節の使用に適している。しかし、フィルタを周期的に交換しなければならないため、メンテナンス費用が高い。
【０００６】
他方、湿式空気清浄機は、吸入した空気を水に接触させることによって、吸入した空気中の浮遊粒子状物質を水に吸着させる方式であり、まだ一般に広く使用されていないが、フィルタの交換が不要であり、騒音の発生が少なく、加湿機能を提供できるという長所がある。従って、子供用に使用することが好ましい。しかし、湿式空気清浄機を使用する場合、水の入れ替え或いは補充をしなければならないという面倒さがある。
【０００７】
上述したような問題点を解決するために、洗浄水が所定の空間に貯留され、送風ユニット及び噴射ユニットが同じ空間に設置されるという、簡単な構造を有する湿式空気清浄機が提案されている。このような湿式空気清浄機の一例は、特許文献１に開示されている。
【０００８】
この湿式空気清浄機は、空気を空気清浄機の内部に導入し、空気を浄化した後に外部に排出する空気循環通路を備える。噴射される流体を含む貯留槽は、空気循環通路の一部を形成する。また、この湿式空気清浄機は、空気循環通路を通じて空気を循環させる送風ユニットと、貯留槽内の噴射空間内で流体を噴射する噴射ユニットとをさらに備える。
【０００９】
送風ユニットは、噴射空間に空気を吸入するためのファンと、そのファンを駆動させるためのモータとを備える。噴射ユニットは、貯留槽から流体を汲み上げるためのポンプと、その流体を噴射空間内に噴射させるためのノズルとを備える。
【００１０】
さらに、空気循環通路内に供給された空気は、一般に、上方から貯留槽内に導入された後は下方に流れるのに対して、流体は下方から上方に噴射される。従って、貯留槽内に導入された空気に、ノズルから噴射した流体の微粒子を接触させることによって、空気中の有害物質を流体に吸着させる。
【００１１】
しかしながら、上記の従来の湿式空気清浄機では、室内空気を循環させるための送風ユニットと、流体を噴射するための噴射ユニットは別個に設置される。従って、送風ユニット及び噴射ユニットを作動させるのに個別にモータが必要となるため、空気清浄機の部品数を増加させ、製造コストを上昇させてしまう。さらに、洗浄水がノズルを介して噴射空間の内側表面に再び噴射され、騒音を増加させる。
【００１２】
また、従来の湿式空気清浄機は、微細ダストを吸着捕集した水滴が空気と共に空気清浄機の外部に排出されるため、清浄能力が低下し、湿度が予想外に高くなる。さらに、洗浄水と空気との接触が不十分であるため、清浄能力が低下する。
【００１３】
【特許文献１】特開２０００-３３４２４０号公報
【発明の開示】
【課題を解決するための手段】
【００１４】
本発明は、上記事情に鑑みてなされたものであって、その目的は、洗浄水を噴射し、噴射された洗浄水を空気が通過するように導き、空気と洗浄水との接触面積を増加させる浄化ユニットを備えた空気清浄機を提供することにある。
【００１５】
前記課題を解決すべく、本発明に係る湿式空気清浄機は、下部に洗浄水を貯留するハウジングと、ハウジング内に設置されている浄化ユニットとを含み、浄化ユニットは、空気をハウジングの下部に貯留されている洗浄水に導くための送風機と、ハウジングの下部に貯留されている洗浄水を揚水して半径方向に噴射し、送風機により導かれた空気が噴射された洗浄水を通過するようにするための内側ガイドと、導かれた空気及び噴射された洗浄水をハウジングの下部に貯留されている洗浄水に案内する外側ガイドであって、内側ガイドとの間にギャップを形成するように内側ガイドの周囲を取り囲む該外側ガイドとを含み、送風機、内側ガイド及び外側ガイドは駆動ユニットにより共に回転されることを特徴とする。
【００１６】
好ましくは、内側ガイドはその端部がハウジングの下部に貯留されている洗浄水に浸されている下端部と、下端部の上端から、その内径が上方に徐々に増大する中間部と、中間部の上端から、その内径が上方に徐々に増大する上端部であって、上端部の内径が中間部の内径よりも大きいような該上端部と、上端部の上端に円周方向に形成されているノズル部であって、内側ガイドを通って揚水された洗浄水を噴射するための該ノズル部とを備える。
【００１７】
好ましくは、送風機は、駆動ユニットの回転軸に固定されている本体部と、本体部の周囲に配置されている複数の羽根と、羽根の外端に、羽根を取り囲むように固定されているフレームとを備え、内側ガイドのノズル部は、結合部材を用いて送風機の本体部に固定的に取り付けられる。
【００１８】
好ましくは、外側ガイドは、送風機のフレームに固定される固定部と、内側ガイドの上端部及び中間部との間に各々ギャップを形成するように、内側ガイドの上端部及び中間部の周囲を取り囲むように設けられる外側上部及び外側下部とを含み、羽根により導かれた空気及びノズル部から噴射された洗浄水が、ギャップを通ってハウジングの下部に貯留されている洗浄水に案内される。
【００１９】
好ましくは、外側ガイドの固定部及び外側上部は、傾斜した反射壁により互いに連結され、反射壁は、ノズル部から噴射される洗浄水を、送風機の羽根の方に向けて上方に反射させるように配置される。
【００２０】
好ましくは、外側ガイドの外側上部は、内側ガイドの上端部に実質的に平行に延在し、外側ガイドの外側下部は、その内径が徐々に増大するように下方に延在する。
【００２１】
好ましくは、内側ガイドの下端部の端部は、外側ガイドの外側下部の端部に位置する出口より下方に配置される。
【００２２】
好ましくは、外側ガイドの固定部に流路が形成され、反射壁により上方に反射された洗浄水が、浄化ユニットの回転により発生した遠心力により流路に流入し、流路を通って移動する。
【００２３】
また、内側ガイドは、その端部がハウジングの下部に貯留されている洗浄水に浸されている下部と、下部の上端から、その内径が上方に徐々に増大する上部と、上部の上端に円周方向に形成されているノズル部とを備え、内側ガイドのノズル部は、駆動ユニットの回転軸に固定される。
【００２４】
さらに、外側ガイドは、送風機のフレームに固定されている固定部と、固定部の下端から、下方に徐々に縮小する内径を有する外側上部と、外側上部の下端から、下方に徐々に増大する内径を有する外側下部とを備え、外側下部は内側ガイドとの間にギャップが形成されるように内側ガイドの周囲を取り囲む。
【００２５】
この場合、好ましくは、ノズル部は、外側ガイドの外側上部及び外側下部の連結地点より下方に配置され、ハウジングの下部に貯留されている洗浄水は、その水面がノズル部より下方にある。
【００２６】
さらに、内側ガイドの下部の端部は、外側ガイドの外側下部の端部に位置する出口より下方に配置される。
【発明を実施するための最良の形態】
【００２７】
以下、添付の図面を参照して、本発明に係る湿式空気清浄機の実施例を詳細に説明する。
【００２８】
図１は、本発明の第１実施例に係る湿式空気清浄機用の浄化ユニットの断面図であり、図２は浄化ユニットの斜視図である。
【００２９】
図１及び図２に示すように、浄化ユニットは、空気吸入口（図示せず）及び空気排出口（図示せず）を有するハウジング１内に設置され、ハウジング１はその下部に洗浄水を貯留する。浄化ユニットは、空気吸入口を介してハウジング１内に導入された空気を洗浄水の方に導くための送風機４０と、ハウジング１下部の洗浄水を揚水して半径方向に噴射させるための内側ガイド１０と、導かれた空気及び噴射された洗浄水をハウジング１の下部の洗浄水に案内するための外側ガイド６０とを備える。
【００３０】
送風機４０は、モータ５０の回転軸５２に固定された本体部４４と、本体部４４の周囲に配置された複数の羽根４２と、羽根４２の外端に羽根４２を取り囲むように固定されたフレーム４５とを備える。
【００３１】
モータ５０の回転軸５２が回転すると、送風機４０が回転軸５２と共に回転するため、空気吸入口を介してハウジング１内に流入した空気は、羽根４２の回転により吸入されて下方に導かれる。
【００３２】
内側ガイド１０は、端部がハウジング１の下部に貯留されている洗浄水に浸された下端部１２と、内径が下端部１２の上端から上方に徐々に増大する中間部１４と、内径が中間部１４の上端から上方に徐々に増大する上端部１６とを有し、上端部１６の内径は中間部１４の内径よりも大きい。
【００３３】
ノズル部２０は、上端部１６の上端に円周方向に形成され、内側ガイド１０を通って揚水された洗浄水を噴射する。内側ガイド１０のノズル部２０は、結合部材３０を用いて送風機４０の本体部４４に固定的に取り付けられる。従って、モータ５０の回転軸５２が回転すると、内側ガイド１０も送風機４０と共に回転するため、ハウジング１の下部の洗浄水が遠心力により内側ガイドを通って揚水される。
【００３４】
また、外側ガイド６０は送風機４０のフレーム４５に固定された固定部６３と、内側ガイド１０の上端部１６及び中間部１４の周囲に各々配置され、内側ガイド１０の上端部１６及び中間部１４との間にギャップ８０を形成する外側上部６６及び外側下部６４とを備え、羽根４２により導かれた空気及びノズル部２０から噴射された洗浄水は、ギャップ８０を通ってハウジング１内の洗浄水に案内される。ハウジング１内の洗浄水は、その水面が外側上部６６及び外側下部６４の連結地点と同じレベルにあることが好ましい。
【００３５】
外側ガイド６０の固定部６３は、複数の孔が形成されている下側フランジ６２を有し、送風機４０のフレーム４５は、複数の孔が形成されている上側フランジ４６を有する。上側フランジ６２及び下側フランジ４６は、対応する孔に適合された締結ネジ５５により互いに結合される。
【００３６】
固定部６３及び外側上部６６は、傾斜した反射壁６９により互いに連結される。反射壁６９は、ノズル部２０から噴射される洗浄水を、送風機４０の羽根４２に向けて上方に反射させるように配置される。
【００３７】
外側上部６６は、内側ガイド１０の上端部に実質的に平行に延在し、外側下部６４は、その内径が徐々に増加するように下方に延在する。
【００３８】
送風機４０、内側ガイド１０及び外側ガイド６０は、モータ５０の回転軸５２の回転により共に回転する。
【００３９】
下端部１２の端部は、外側下部６４の端部に位置する出口６８の下方に配置されており、出口６８から排出される汚染水が下端部１２を通って揚水されることを防止する。
【００４０】
以下、図３を参照して、本発明の第２実施例に係る浄化ユニットを説明する。
【００４１】
第２実施例の浄化ユニットは、外側ガイド６０の固定部６３に形成された流路７０以外は第１実施例と類似する。
【００４２】
反射壁６６により上方に反射された洗浄水は流路７０に流入し、浄化ユニットの回転により発生した遠心力により流路７０を通って移動し、その出口から再び噴射される。
【００４３】
以下、本発明の実施例に係る浄化ユニットの動作について説明する。
【００４４】
モータ５０により回転軸５２が回転すると、送風機４０、内側ガイド１０及び外側ガイド６０が回転軸５２と共に回転する。
【００４５】
空気は羽根４２の回転により吸入され、羽根を通過して下方に導かれる。ハウジング１の下部の洗浄水は、内側ガイド１０の回転により揚水され、ノズル部２０を通って半径方向に噴射される。下方に導かれた空気は、噴射された洗浄水を通過して初めて浄化される。すなわち、空気中の細菌、ほこりなどが、噴射された洗浄水により吸着捕集される。
【００４６】
洗浄水が微細に噴射されるとき、レナード効果（Ｒｅｎｅｒｄ  ｅｆｆｅｃｔ）によりマイナスイオンが生成される。マイナスイオンの量は、高圧放電により生成されるマイナスイオンよりも多く、また、その生成されたマイナスイオンは天然マイナスイオンに近い。
【００４７】
ノズル部２０から噴射される洗浄水は、反射壁６９と衝突して散乱することで、空気と混合される。このとき、反射壁６９を含む空間は閉じられた空間であって、反射壁６９に洗浄水が衝突することによって発生した騷音が外側に伝わることを最小限にし、比較的静かな動作環境を提供する。
【００４８】
さらに、散乱した水滴の一部は上方に移動し、羽根４２及び羽根を通過して流れる空気に接触するため、空気中の異物は水滴により吸着捕集される。
【００４９】
異物を吸着する水滴は外側上部６６の内面に落下し、内面に沿って下方に流れる。
【００５０】
水滴及び送風機４０により下方に導かれた空気は、ギャップ８０を通過し、出口６８を介してハウジング１内の洗浄水中に流入する。水滴及び空気内の異物は、ハウジング１内の洗浄水と混合され、きれいな空気が水を通過して空気排出口を介して外部に放出される。
【００５１】
ギャップ８０内の水を通過して流れる空気は、外側下部６４の回転により水と混合され、それによって水による空気中の異物の吸着捕集をしやすくする。
【００５２】
さらに、外側ガイド６０が回転すると、外側上部６６の外側付近の洗浄水が遠心力により外側上部６６の外面に沿って揚水され、反射壁６９との連結地点付近から噴射されて上方に移動する空気を浄化する。
【００５３】
本発明の第２実施例によれば、反射壁６９により反射され拡散した水滴は遠心力によって上方に移動して流路７０に流入し、流路７０を通って移動して外側に噴射され、拡散する。このようにして、空気及び洗浄水の接触回数が増加する。
【００５４】
以下、図４を参照して、本発明の第３実施例に係る浄化ユニットについて詳細に説明する。
【００５５】
図４に示すように、浄化ユニットは、空気吸入口（図示せず）及び空気排出口（図示せず）を有するハウジング１内に設置され、ハウジング１はその下部に洗浄水を貯留する。浄化ユニットは、ハウジング１内に導入された空気を洗浄水に導くための送風機２４０と、ハウジング１の下部の洗浄水を揚水して半径方向に噴射するための内側ガイド２１０と、導かれた空気及び噴射された洗浄水をハウジング１の下部の洗浄水に案内するための外側ガイド２６０とを備える。
【００５６】
送風機２４０は、モータ２５０の回転軸２５２に固定された本体部２４４と、本体部２４４の周囲に配置された複数の羽根２４２と、羽根２４２の外端に羽根２４２を取り囲むように固定されたフレーム２４５とを備える。
【００５７】
モータ２５０の回転軸２５２が回転すると、送風機２４０がそれと共に回転するため、空気吸入口を介して流入した空気を、ハウジング内の羽根２４２の回転により吸入して下方に導く。
【００５８】
内側ガイド２１０は、端部がハウジング１の下部に貯留されている洗浄水に浸された下部２１２と、内径が下部２１２の上端から上方に徐々に増大する上部２１４とを有する。
【００５９】
ノズル部２２０は、上部２１６の上端に円周方向に形成され、内側ガイド２１０を通って揚水された洗浄水を噴射する。内側ガイド２１０のノズル部２２０は、回転軸２５２に固定される。従って、モータ２５０の回転軸２５２が回転すると、内側ガイド２１０も送風機２４０と共に回転するので、ハウジング１の下部の洗浄水が遠心力により内側ガイドを通って揚水される。
【００６０】
また、外側ガイド２６０は送風機２４０のフレーム２４５に固定された固定部２６３と、固定部２６３の下端から下方に徐々に縮小する内径を有する外側上部２６６と、外側上部２６６の下端から内径が下方に徐々に増大する外側下部２６４とを備える。外側下部２６４は、内側ガイド２１０との間にギャップ２８０が形成されるように内側ガイド２１０を取り囲むように設けられ、羽根２４２により導かれた空気及びノズル部２２０から噴射された洗浄水は、ギャップ２８０を通ってハウジング１内の洗浄水に案内される。ノズル部２２０は外側上部２６６及び外側下部２６４の連結地点よりも下方に配置され、ハウジング１内の洗浄水は、その水面がノズル部２２０より下方にある。
【００６１】
外側ガイド２６０の固定部２６３は、複数の孔が形成された下側フランジ２６２を有し、送風機２４０のフレーム２４５は、複数の孔が形成された上側フランジ２４６を有する。上側フランジ２６２及び下側フランジ２４６は、対応する孔に適合された締結ネジ２５５により互いに結合される。
【００６２】
送風機２４０、内側ガイド２１０及び外側ガイド２６０は、モータ２５０の回転軸２５２の回転により共に回転する。
【００６３】
下部２１２の端部は、外側下部２６４の端部に位置する出口２６８の下方に配置されており、出口２６８から排出される汚染した水が下端部２１２を通って揚水されることを防止する。
【００６４】
以下、本発明の第３実施例に係る浄化ユニットの動作について説明する。
【００６５】
モータ２５０により回転軸２５２が回転すると、送風機２４０、内側ガイド２１０及び外側ガイド２６０が回転軸５２と共に回転する。
【００６６】
空気は羽根２４２の回転により吸入され、羽根２４２を通過して下方に導かれる。ハウジング１の下部の洗浄水は、内側ガイド２１０の回転により揚水され、ノズル部２２０を通って半径方向に噴射される。下方に導かれた空気は、噴射された洗浄水を通過して初めて浄化される。すなわち、空気中の細菌、ほこり等の異物が、噴射された洗浄水により吸着捕集される。
【００６７】
水が微細に噴射される際には、レナード効果によりマイナスイオンの空気が生成される。マイナスイオンの量は、高圧放電により生成されるマイナスイオンよりも多く、また、その生成されたマイナスイオンは天然マイナスイオンに近い。
【００６８】
ノズル部２２０が外側上部２６６及び外側下部２６４の連結地点２００の下方に位置するため、ノズル部２２０から噴射される洗浄水は、送風機２４０に向けて上方に移動することが防止される。ノズル部２２０から噴射された洗浄水は、空気内の細菌、ほこり等の異物を吸着捕集する。
【００６９】
異物を吸着する水滴及び送風機２４０により下方に導かれた空気は、ギャップ２８０を通過し、出口２６８を介してハウジング１内の洗浄水に流入する。水滴及び空気内の異物は、ハウジング１内の洗浄水と混合され、きれいな空気が水を通過して空気排出口を介して外部に放出される。
【００７０】
ギャップ２８０内の水を通過する空気は、外側下部２６４の回転により水と混合するため、水による空気中の異物の吸着捕集を促進する。
【００７１】
上記のような本発明の浄化ユニットを用いた湿式空気清浄機によれば、モータの回転力により、送風機、内側ガイド及び外側ガイドが共に回転するため、別体のポンプがなくてもハウジング内に貯留されている洗浄水を揚水することができ、それにより製造コストを低減できる。また、下方に導かれる空気は洗浄水と数回にわたって接触するため、清浄効果が増加する。
【００７２】
なお、本発明は上記した実施例に限定されるものではなく、本発明に係る技術的思想の範囲から逸脱しない範囲内で様々な変更が可能であり、それらも本発明の技術的範囲に属する。
【図面の簡単な説明】
【００７３】
本発明の前記並びにその他の目的、特徴及び長所については、本発明の記述及び添付図面より明らかになる。
【図１】本発明の第１実施例に係る湿式空気清浄機用浄化ユニットの断面図である。
【図２】図１の湿式空気清浄機の浄化ユニットの斜視図である。
【図３】本発明の第２実施例に係る浄化ユニットの断面図である。
【図４】本発明の第３実施例に係る浄化ユニットの断面図である。
【図１】
2008518775.tif 000003
【図２】
2008518775.tif 000004
【図３】
2008518775.tif 000005
【図４】
2008518775.tif 000006
【国際調査報告】
2008518775.tif 000007
2008518775.tif 000008